(57)【要約】      （修正有）【課題】夏季の暑さ、湿気、及び日差しに対応した構造及び素材からなる保護帽子を提供する。【解決手段】頭部を保護する保護部材１５を内装した帽子であって、光線を遮る幅の広いつば１２と、保護部材１５を内装縫着した帽子本体１１と、帽子本体１１の内面に一周する吸汗性の高い素材からなる汗取りバンド１７とから構成され、帽子本体の表地１１ａは、ＵＶ加工されたポリエステルを主材とする吸湿・放湿性の高い素材で構成し、さらに内部からの通気を行う複数の通気口（菊穴）１４を設け、保護部材１５は、耐久性に優れた合繊マルチフィラメントの表地と裏地の間に高いクッション性を備え耐衝撃・弾性回復性を有する合繊モノフィラメント素材を接着した緩衝材１５ａ、ｂを２重に重ね、肌面にあたる部分に通気性に優れたメッシュ生地１６を縫い付けた構成とした。【選択図】図１
0003114866.tif 000002
【実用新案登録請求の範囲】
【請求項１】
頭部を保護する保護部材を内装した帽子であって、光線を遮る幅の広いつばと、保護部材を内装縫着した帽子本体と、帽子本体の内面に一周する吸汗性の高い素材からなる汗取りバンドとから構成され、
前記帽子本体は、ＵＶ加工されたポリエステルを主材とする吸湿・放湿性の高い素材で形成し、さらに内部からの通気を行う複数の通気口（菊穴）を設け、
前記保護部材は、耐久性に優れた合繊マルチフィラメントの表地と裏地の間に高いクッション性を備え耐衝撃・弾性回復性を有する合繊モノフィラメント素材を接着した緩衝材を２重に重ね、肌面にあたる部分に通気性に優れたメッシュ生地を縫い付けた構成とし、
高温・高湿期の着用において日よけ効果が高く、且つムレることがないことを特徴とする夏季用保護帽子。
【考案の詳細な説明】
【技術分野】
【０００１】
本考案は、日差しを避けると共に、暑い季節の作業或は外出時の頭部保護のために被る夏季用の保護帽子に関する。
【背景技術】
【０００２】
従来、頭部を保護する保護部材を装着した帽子は、硬質材料からなるヘルメットが主に用いられていたが、ヘルメットは通常の帽子と異なるため、建築・土木作業の現場以外では違和感を与える問題があった。そのため、通常の野球帽などの形状を持つ保護帽子が提案されていた。
【０００３】
特許文献１は、外観が通常の帽子形状をしており、その内部に緩衝材からなる保護部材を装着したもので、全体としてキャップ状の保護部材と帽子本体が着脱自在に嵌合されていることを特徴とする保護帽子の発明である。
【０００４】
しかし、この発明は、素材に通気性・透湿性がなく寒冷地などの低温度領域で使用する保護帽としては用いることができるものの、日差しが強く高温となる夏季には用いることができない問題があった。
【０００５】
【特許文献１】特開２００５−１６３２２８号公報（第２、３頁、第１図）
【考案の開示】
【考案が解決しようとする課題】
【０００６】
本考案は、前記問題に鑑みてなされたもので、夏季の暑さ、湿気、及び日差しに対応した構造及び素材からなる保護帽子を提供することを課題とする。
【課題を解決するための手段】
【０００７】
前記課題を解決するため、本考案の夏季用保護帽は、頭部を保護する保護部材を内装した帽子であって、光線を遮る幅の広いつばと、保護部材を内装縫着した帽子本体と、帽子本体の内面に一周する吸汗性の高い素材からなる汗取りバンドとから構成され、
前記帽子本体は、ＵＶ加工されたポリエステルを主材とする吸湿・放湿性の高い素材で形成し、さらに内部からの通気を行う複数の通気口（菊穴）を設け、
前記保護部材は、耐久性に優れた合繊マルチフィラメントの表地と裏地の間に高いクッション性を備え耐衝撃・弾性回復性を有する合繊モノフィラメント素材を接着した緩衝材を２重に重ね、肌面にあたる部分に通気性に優れたメッシュ生地を縫い付けた構成とし、
高温・高湿期の着用において日よけ効果が高く、且つムレることがないことを特徴とする。
【考案の効果】
【０００８】
本考案の夏季用保護帽子によれば、幅広のつばとＵＶ加工された帽子本体により直射日光の日差しから顔面と頭部を保護すると共に、通気性、透湿生の高い素材及び、通気口により頭部のムレ、発汗を放散させることにより快適な装着感を得ることが出来る。また、保護部材が帽子本体内面に縫着されていることから軽量で通気性を確保し、且つ耐衝撃性を確保した保護帽子とする事ができる。
【考案を実施するための最良の形態】
【０００９】
本考案の実施の形態を図を用いて詳細に説明する。図１は本考案の夏季用保護帽子を示す斜視図である。
【００１０】
夏季用保護帽子１０は、帽子本体１１と、その前面に光線をさえぎる幅の広いつば１２と、帽子本体１１の後部のきりかきに設けられ長さ調節可能なアジャスター１３と、帽子本体１１の内面全体に内装縫着された保護部材１５（図２参照）と、帽子本体１１の内面下部を１周するように設けられた汗取りバンド１７とから構成されている。
【００１１】
帽子本体１１の表地１１ａは、ＵＶ加工されたポリエステルを主材とする吸湿・放湿性の高い素材で形成されている。この素材としてはポリエステル８０％、ナイロン２０％程度のものがよく、例えば商品名「ＨＧ−３３０」（ユニチカファイバー株式会社の商品名）を用いることが望ましい。
【００１２】
この表地１１ａには、帽子本体１１の左右側面に、帽子内部と連通して通気を行う通気口（菊穴）１４を、左右それぞれ２個ずつ設ける。
【００１３】
前記つば１２は、前面に幅を広く且つ、光線をさえぎる面積が大きくなるように張出しを長く設け、また、幅広く長いつばを支える十分な厚さを備える。これにより、日よけ効果を十分に発揮する。
【００１４】
前記アジャスター１３は、帽子本体１１の後部を絞り或は緩めて、着用者の頭部サイズに調節するもので、帽子本体１１のきりかきの一方に縫着した帯状紐をきりかきの他方に設けたフックに通して折り曲げ、任意の位置に面ファスナーで止着させる構造である。
【００１５】
前記汗取りバンド１７は、頭部周囲に流れ落ちる汗を吸水するため、高い吸水性・吸湿性を有する素材を用いる。速乾性、抗菌性を備えた素材として芯材に商品名「ベルオアシス」（カネボウ株式会社の登録商標）を用い、表地に商品名「セベリスシルリード」（東レ株式会社の登録商標）を用いたバンドが望ましい。
【００１６】
汗取りバンド１７を備えることにより、夏季の屋外或は作業において、汗が流れ落ちることを防止することができる。
【００１７】
次に保護部材１５の構成について説明する。図２は保護部材の構成を説明する図で、（ａ）は内面全体の保護部材の断面図、（ｂ）は帽子本体の周囲部の保護部材の断面図である。
【００１８】
図２（ａ）の断面図は、図１に破線円Ａで示した部分を含む内面全体の保護部材１５の構成を示す。帽子本体１１の表地１１ａの内側に緩衝材１５ａと１５ｂが２重に配置され、その内側にメッシュ生地１６が配置されている。
【００１９】
前記緩衝材１５ａ、１５ｂは、耐久性に優れた合繊マルチフィラメントの表地と裏地の間に高いクッション性を備え耐衝撃・弾性回復性を有する合繊モノフィラメント素材を接着した緩衝材である。
【００２０】
望ましくは、厚さ４ｍｍの商品名「ＡＫＥ６４０３０」（旭化成せんい株式会社の商品名）を用いることにより所望のクッション性、耐久性、通気性、通水性を得ることができる。
【００２１】
図２（ｂ）は、帽子本体の周囲部の断面を示し、図１に破線円Ｂで示した部分の断面である。帽子本体の内面周囲には、保護部材１５の内側に更に前記汗取りバンド１７が縫着されている。
【００２２】
本考案の夏季用保護帽子は、通気性、透湿性に優れ、保護部材が一体に縫製されることにより従来の保護帽子に比べて軽量で、被りやすいものとすることができる。
【図面の簡単な説明】
【００２３】
【図１】本考案の夏季用保護帽を示す斜視図である。
【図２】保護部材の構成を説明する図で、（ａ）は内面全体の保護部材の断面図、（ｂ）は帽子本体の周囲部の保護部材の断面図である。
【符号の説明】
【００２４】
１０    夏季用保護帽子
１１    帽子本体
１１ａ  表地
１２    つば
１３    アジャスター
１４    通気口（菊穴）
１５    保護部材
１５ａ、１５ｂ    緩衝材
１６    メッシュ生地
１７    汗取りバンド
【図１】
0003114866.tif 000003
【図２】
0003114866.tif 000004